(57)【要約】【課題】  光スイッチの小型化を図る。【解決手段】  入力光ファイバ１ａからの光を各波長域の光に分波する反射型グレーティング４と、各波長域の光を反射する複数のマイクロミラー６と、反射型グレーティング４からの光を結像させてマイクロミラー６に導くと共に、マイクロミラー６からの反射光をコリメートするリトローレンズ７とを備えている。複数のマイクロミラー６はＸ方向に並び、各マイクロミラー６はＹ方向に平行な回転軸６ａを基準として向きを変えることができる。リトローレンズ７は、Ｙ方向に垂直な２つの端面７ａ，７ｂを有し、端面７ａ，７ｂ相互間の間隔、つまりＹ方向の幅Ｗｒが入射光束の径ｄの３倍以下である。反射型グレーティング４は、その溝４ａがＹ方向と平行になるように設置され、Ｙ方向の幅Ｗｇが入射光束の径ｄの３倍以下である。【選択図】  図２
2006039304.tif 000002
【特許請求の範囲】
【請求項１】
回転軸の回りに回転し、少なくとも１つの入力ポートから入力した光を少なくとも１つの出力ポートに向かわせるミラーと、
前記少なくとも１つの入力ポートから入力した光を前記ミラーの近傍に結像させる第１の結像光学系と、
前記ミラーで反射され前記少なくとも1つの出力ポートに向かう光をコリメートする第１のコリメート光学系とを有し、
前記第１の結像光学系と前記第１のコリメート光学系は、それぞれ前記回転軸と交わる面と平行な少なくとも1つの端面を有することを特徴とする光スイッチ。
【請求項２】
１つの光学系で、前記第１の結像光学系および前記第１のコリメート光学系が形成されることを特徴とする請求項１に記載の光スイッチ。
【請求項３】
前記第１の結像光学系と前記第１のコリメート光学系は、それぞれ２つの前記端面を有し、
前記第１の結像光学系の前記２つの端面の間隔と、前記第１のコリメート光学系の前記２つの端面の間隔は、いずれも前記第１の結像光学系に入射する光束径の３倍以下であることを特徴とする請求項１または請求項２に記載の光スイッチ。
【請求項４】
前記入力ポートからの光をコリメートする第２のコリメート光学系と、
前記第２のコリメート光学系からの光に対して、前記回転軸に対して垂直な方向に合波作用または分波作用を施し、該作用を施した光を前記第第１の結像光学系に導く第１の分光器と、
前記第１のコリメート光学系からの光に対して、前記回転軸に対して垂直な方向に前記第１の分光器と逆の分波作用または合波作用を施す第２の分光器と、
前記第２の分光器からの光を結像させる第２の結像光学系とを更に有することを特徴とする請求項１から３のいずれか一項に記載の光スイッチ。
【請求項５】
前記第２のコリメート光学系と前記第２の結像光学系のうちの少なくとも一方は、前記回転軸と交わる面と平行な少なくとも１つの端面を有することを特徴とする請求項４に記載の光スイッチ。
【請求項６】
前記第２のコリメート光学系と前記第２の結像光学系のうちの少なくとも一方は、２つの前記端面を有し、
前記２つの端面の間隔は、前記第２の結像光学系に入射する光束径の３倍以下であることを特徴とする請求項５に記載の光スイッチ。
【請求項７】
前記回転軸と平行な方向の前記第１の分光器の幅は、該第１の分光器に入射する光束系の３倍以下であることを特徴とする請求項４から６のいずれか一項に記載の光スイッチ。
【請求項８】
１つの光学系で、前記第２のコリメート光学系および前記第２の結像光学系が形成されていることを特徴とする請求項４から７のいずれか一項に記載の光スイッチ。
【請求項９】
１つの分光器で、前記第１の分光器および前記第２の分光器が形成されていることを特徴とする請求項４から８のいずれか一項に記載の光スイッチ。
【請求項１０】
前記端面は前記回転軸に対して垂直な平面であることを特徴とする請求項１から９のいずれか一項に記載の光スイッチ。
【請求項１１】
前記第１のコリメート光学系、前記第１の結像光学系、前記第２のコリメート光学系、前記第２の結像光学系のうちの少なくともいずれか１つの光学系は、更に、前記回転軸と平行であり且つ前記第１および第２の分光器のどちらか一方の分光面に対して垂直な端面を有することを特徴とする請求項４から９のいずれか一項に記載の光スイッチ。
【請求項１２】
前記回転軸に対して垂直な方向に並んだ複数の前記ミラーを備えていることを特徴とする請求項１から１１のいずれか一項に記載の光スイッチ。
【請求項１３】
前記回転軸に対して垂直な方向に並んだ複数の前記入力ポートを備えていることを特徴とする請求項１から１２のいずれか一項に記載の光スイッチ。
【請求項１４】
前記回転軸に対して垂直な方向に並んだ複数の前記出力ポートを備えていることを特徴とする請求項１から１３のいずれか一項に記載の光スイッチ。
【請求項１５】
少なくとも１つの分光器と、回転軸の回りに回転し、前記分光器からの光を反射するミラーと、を備えている光スイッチにおいて、
前記回転軸と平行な方向の前記分光器の幅は、該分光器に入射する光束の３倍以下であることを特徴とする光スイッチ。
【請求項１６】
前回転軸に対して垂直な方向に並んだ複数の前記ミラーを備えていることを特徴とする請求項１５に記載の光スイッチ。
【発明の詳細な説明】
【技術分野】
【０００１】
本発明は、入力ポートからの光の出力先を変えるために、向きを変えることができるミラーを備えている光スイッチに関する。
【背景技術】
【０００２】
従来の光スイッチとしては、例えば、以下の特許文献１に記載されているものがある。
【０００３】
この光スイッチは、入力ポートと、入力ポートからの光をコリメートするコリメートレンズと、コリメートされた光を分波する第１の分光器と、この第１の分光器からの光を結像させる結像レンズと、この結像レンズからの光の向きを変える複数のマイクロミラーと、各マイクロミラーからの光をコリメートするコリメートレンズと、このコリメートレンズからの光を合波する第２の分光器と、第２の分光器からの光を結像する結像レンズと、この結像レンズからの光を出力する出力ポートと、を備えている。
【０００４】
【特許文献１】ＵＳ６，３２７，３９８  Ｂ１    ＦＩＧ．１
【発明の開示】
【発明が解決しようとする課題】
【０００５】
上記従来技術では、コリメートレンズや結像レンズが大きく、これらの光学系により光スイッチのサイズが規制され、光スイッチの小型化が難しいという問題点がある。
【０００６】
本発明は、このような従来技術の問題点に着目してなされたもので、小型化することができる光スイッチを提供することを目的とする。
【課題を解決するための手段】
【０００７】
前記課題を解決するための請求項１に係る発明の光スイッチは、
回転軸の回りに回転し、少なくとも１つの入力ポートから入力した光を少なくとも１つの出力ポートに向かわせるミラーと、
前記少なくとも１つの入力ポートから入力した光を前記ミラーの近傍に結像させる第１の結像光学系と、
前記ミラーで反射され前記少なくとも1つの出力ポートに向かう光をコリメートする第１のコリメート光学系とを有し、
前記第１の結像光学系と前記第１のコリメート光学系は、それぞれ前記回転軸と交わる面と平行な少なくとも1つの端面を有することを特徴とする。
【０００８】
請求項２に係る発明の光スイッチは、
請求項１に係る発明の光スイッチにおいて、
１つの光学系で、前記第１の結像光学系および前記第１のコリメート光学系が形成されることを特徴とする。
【０００９】
請求項３に係る発明の光スイッチは、
請求項１または２に係る発明の光スイッチにおいて、
前記第１の結像光学系と前記第１のコリメート光学系は、それぞれ２つの前記端面を有し、
前記第１の結像光学系の前記２つの端面の間隔と、前記第１のコリメート光学系の前記２つの端面の間隔は、いずれも前記第１の結像光学系に入射する光束径の３倍以下であることを特徴とする。
【００１０】
請求項４に係る発明の光スイッチは、
請求項１から３のいずれか一項に係る発明の光スイッチにおいて、
前記入力ポートからの光をコリメートする第２のコリメート光学系と、
前記第２のコリメート光学系からの光に対して、前記回転軸に対して垂直な方向に合波作用または分波作用を施し、該作用を施した光を前記第第１の結像光学系に導く第１の分光器と、
前記第１のコリメート光学系からの光に対して、前記回転軸に対して垂直な方向に前記第１の分光器と逆の分波作用または合波作用を施す第２の分光器と、
前記第２の分光器からの光を結像させる第２の結像光学系とを更に有することを特徴とする。
【００１１】
請求項５に係る発明の光スイッチは、
請求項４に係る発明の光スイッチにおいて、
前記第２のコリメート光学系と前記第２の結像光学系のうちの少なくとも一方は、前記回転軸と交わる面と平行な少なくとも１つの端面を有することを特徴とする。
【００１２】
請求項６に係る発明の光スイッチは、
請求項５に係る発明の光スイッチにおいて、
前記第２のコリメート光学系と前記第２の結像光学系のうちの少なくとも一方は、２つの前記端面を有し、
前記２つの端面の間隔は、前記第２の結像光学系に入射する光束径の３倍以下であることを特徴とする。
【００１３】
請求項７に係る発明の光スイッチは、
請求項４から６のいずれか一項に係る発明の光スイッチにおいて、
前記回転軸と平行な方向の前記第１の分光器の幅は、該第１の分光器に入射する光束系の３倍以下であることを特徴とする。
【００１４】
請求項８に係る発明の光スイッチは、
請求項４から７のいずれか一項に係る発明の光スイッチにおいて、
１つの光学系で、前記第２のコリメート光学系および前記第２の結像光学系が形成されていることを特徴とする。
【００１５】
請求項９に係る発明の光スイッチは、
請求項４から８のいずれか一項に係る発明の光スイッチにおいて、
１つの分光器で、前記第１の分光器および前記第２の分光器が形成されていることを特徴とする。
【００１６】
請求項１０に係る発明の光スイッチは、
請求項１から９のいずれか一項に係る発明の光スイッチにおいて、
請求項１１に係る発明の光スイッチは、
請求項４から９のいずれか一項に係る発明の光スイッチにおいて、
前記第１のコリメート光学系、前記第１の結像光学系、前記第２のコリメート光学系、前記第２の結像光学系のうちの少なくともいずれか1つの光学系は、更に、前記回転軸と平行であり且つ前記第１および第２の分光器のどちらか一方の分光面に対して垂直な端面を有することを特徴とする。
【００１７】
請求項１２に係る発明の光スイッチは、
請求項１から１１のいずれか一項に係る発明の光スイッチにおいて、
前記回転軸に対して垂直な方向に並んだ複数の前記ミラーを備えていることを特徴とする。
【００１８】
請求項１３に係る発明の光スイッチは、
請求項１から１２のいずれか一項に係る発明の光スイッチにおいて、
前記回転軸に対して垂直な方向に並んだ複数の前記入力ポートを備えていることを特徴とする。
【００１９】
請求項１４に係る発明の光スイッチは、
請求項１から１３のいずれか一項に係る発明の光スイッチにおいて、
前記回転軸に対して垂直な方向に並んだ複数の前記出力ポートを備えていることを特徴とする。
【００２０】
請求項１５に係る発明の光スイッチは、
少なくとも１つの分光器と、回転軸の回りに回転し、前記分光器からの光を反射するミラーと、を備えている光スイッチにおいて、
前記回転軸と平行な方向の前記分光器の幅は、該分光器に入射する光束の３倍以下であることを特徴とする。
【００２１】
請求項１６に係る発明の光スイッチは、
請求項１５に係る発明の光スイッチにおいて、
前回転軸に対して垂直な方向に並んだ複数の前記ミラーを備えていることを特徴とする。
【発明の効果】
【００２２】
本発明によれば、第１の結像光学系及び第１のコリメート光学系は、いずれも、ミラーの回転軸と交わる面と平行な少なくとも1つの端面を有するので、この端面を各光学系の切断面とすることで、各光学系の該回転軸方向の幅を狭めることができる。従って、該回転軸方向に光スイッチの大きさを狭めることができる。
【発明を実施するための最良の形態】
【００２３】
以下、本発明に係る光スイッチの一実施形態について、図面を用いて説明する。
【００２４】
本実施形態の光スイッチは、図１に示すように、一つの入力光ファイバ１ａと、複数の出力光ファイバ１ｂ〜１ｅと、各光ファイバ１ａ〜１ｅの端面の直前に配置されているマイクロレンズ２ａ〜２ｅと、入力光ファイバ１ａからの光を結像する一方で出力光ファイバ１ｂ〜１ｅへの光をコリメートするリレーレンズ３と、入力光ファイバ１ａからの光を各波長域の光に分波する反射型グレーティング４と、反射型グレーティング４からの光を結像させるリトローレンズ７と、リトローレンズ７からの光を目的の方向へ向わせるマイクロミラーアレイ５と、を備えている。
【００２５】
ここで、以下の説明の都合上、各マイクロレンズ２ａ〜２ｅ、リレーレンズ３、リトローレンズ７の各光軸方向に平行で、入力光ファイバ１ａからの光が進む向きをＺ方向、このＺ方向に対して垂直な面内で、出力光ファイバ１ｂ〜１ｅの並ぶ方向をＸ方向、Ｚ方向及びＸ方向に垂直な方向をＹ方向とする。
【００２６】
マイクロミラーアレイ５は、図１及び図２に示すように、複数のマイクロミラー６を有しており、それぞれは、前述したように、Ｘ方向に並んでいる。また、各マイクロミラー６は、Ｙ方向に平行な回転軸６ａを基準にして回転させることができる。各マイクロミラー６の回転駆動力としては、例えば、従来から用いられている静電気力がある。各マイクロミラー６は、リトローレンズ７からその焦点距離の位置に、またはその近傍に配置されている。
【００２７】
入力光ファイバ１ａの端面、複数の出力光ファイバ１ｂ〜１ｅの各端面は、複数のマイクロミラー６が並んでいるＸ方向に直線状に並んでいる。
【００２８】
反射型グレーティング４は、その複数の溝４ａがＹ方向と平行になるように設置されている。このため、このグレーティング４に光が入射して、この光が各波長成分に分波された場合、各波長成分は、ＺＸ平面内において、グレーティング４の溝４ａに垂直なＸ方向に広がる。また、逆に、Ｘ方向に広がっていた各波長成分が入射した場合には、各波長成分を合波することができる。すなわち、このグレーティング４の分波方向及び合波方向はＸ方向である。このグレーティング４のＹ方向の幅Ｗｇは、このグレーティング４に入射する光束の径ｄ以上で、この光束径ｄの２倍未満である。
【００２９】
ここで、図３を用いて、グレーティング４のＹ方向の幅Ｗｇと、このグレーティング４に入射する光束の径ｄとの関係について説明する。
【００３０】
本実施形態では、ガウシアンビーム径を、グレーティング４に入射する光束の径ｄとしている。このガウシアンビーム径は、光強度が、光束の中心軸における光強度の１／ｅ２（約１３．５％）に低下するところの径である。ガウシアンビーム径ｄの３倍の径３ｄの位置では、図３に示すように、光束の中心軸における光強度の１×ｅ−８倍程度の光強度になり、極めて光強度が小さくなる。そこで、本実施形態では、グレーティング４のＹ方向の幅Ｗｇを、このグレーティング４に入射する光束を効率的に受光し得る最小限の幅、つまり、ｄ≦Ｗｇ≦３ｄにしている。
【００３１】
リトローレンズ７は、グレーティング４とマイクロミラーアレイ５との間に配置されている。このリトローレンズ７も、そのＹ方向の幅Ｗｒは、グレーティング４と同様、このリトローレンズ７に入射する光束の径ｄ以上で、この光束径ｄの２倍未満である。このリトローレンズ７は、このリトローレンズ７の光軸に対して垂直なＸＹ平面内で円形のレンズを形成した後、この光軸を中心として、Ｙ方向でほぼ対称な位置になる２箇所でＺＸ平面に平行に切断して形成する。この２つの切断面が端面７ａ，７ｂとなり、端面７ａ，７ｂ相互間の幅が前述のＷｒである。なお、ここでは、円形のレンズを切断して、リトローレンズ７を形成しているが、互いに平行な２つの端面を有するレンズ型に樹脂又は溶融ガラスを充填して、樹脂又はガラスでリトローレンズを成形する場合には、型から取り出したレンズを切断する必要はないことは言うまでもない。
【００３２】
次に、本実施形態の光スイッチの動作について説明する。
【００３３】
入力光ファイバ１ａの端面からは、波長多重光Ｌ０が出力される。この光Ｌ０は、マイクロレンズ２ａでコリメートされ、リレーレンズ３で一旦集光されて、光Ｌ１となる。このリレーレンズ３で集光された光Ｌ１は、リトローレンズ７で再度コリメートされる。このリトローレンズ７において、入力光ファイバ１ａからの光Ｌ１をコリメートする部分が第２のコリメート光学系部９ｂを成す。リトローレンズ７の第２のコリメート光学系部９ｂでコリメートされた光Ｌ２は、反射型グレーティング４の部位４ｂに入射し、ここで４つの波長成分の光に分波される。なお、図１では、この４つの波長成分の光のうち、２つの波長成分の光Ｌ３，Ｌ３ａのみを示し、図２では、一つの波長成分の光Ｌ３のみを示している。この反射型グレーティング４の分波方向は、前述したようにＸ方向であるから、光Ｌ３と光Ｌ３ａとは、Ｘ方向に並んでいる。
【００３４】
反射型グレーティング４で分波された各波長成分の光Ｌ３，Ｌ３ａは、リトローレンズ７によって、それぞれ、光Ｌ４,Ｌ４ａとなり、各マイクロミラー６の近傍に結像される。リトローレンズ７において、反射型グレーティング４からの光Ｌ３，Ｌ３ａを結像させる部分が、第１の結像光学系部８ａを成す。反射型グレーティング４は、前述したように、リトローレンズ７からのコリメート光Ｌ２を、ＺＸ平面内でＸ方向に分波するので、リトローレンズ７の第１の結像光学系部８ａの位置は、反射型グレーティング４へコリメート光Ｌ２を出射する第２のコリメート光学系部９ｂを基準にして、リトローレンズ７の内部で（−）Ｘ方向側となる。なお、図１でグレーティングの向きが反転している場合には、第１の結像光学系部８ａの位置は、第２のコリメート光学系部９ｂを基準にして、リトローレンズ７の内部で（＋）Ｘ方向側となる。
【００３５】
リトローレンズ７の第１の結像光学系部８ａで結像された光Ｌ４は、Ｘ方向に並んでいる複数のマイクロミラー６のうちのいずれかで反射されて、光Ｌ５となる。同様に、光Ｌ４ａは、光Ｌ４ａに対応するマイクロミラー６で反射されて、光Ｌ５ａとなる。各マイクロミラー６は、Ｙ方向に平行な回転軸６ａを基準として回転せることが可能なので、ここで反射された光Ｌ５，Ｌ５ａの進行方向は、マイクロミラー６の回転角度に応じて、ＺＸ平面内で、Ｘ方向成分が変わる。
【００３６】
マイクロミラー６で反射された光Ｌ５は、再び、リトローレンズ７に入射し、コリメートされて、光Ｌ６となる。このリトローレンズ７において、マイクロミラー５からの光Ｌ５をコリメートする部分が第１のコリメート光学系部９ａを成す。前述したように、マイクロミラー６からの光Ｌ５の位置は、マイクロミラー６の回転角度に応じてＸ方向の位置に変わるので、この第１のコリメート光学系部９ａの位置は、反射型グレーティング４からの光Ｌ３が入射する第１結像光学系部８ａを基準にして、リトローレンズ７の内部で（＋）又は（−）Ｘ方向のいずれかの側になる。
【００３７】
リトローレンズ７でコリメートされた光Ｌ６は、反射型グレーティング４の部位４ｃに入射して、前述とは逆の合波作用を受けて、光Ｌ７となる。前述したように、反射型グレーティング４では、入力光ファイバ１ａからの光Ｌ２を、ＺＸ平面内でＸ方向に分波し、マイクロミラー６では、反射型グレーティング４からの光Ｌ４を反射して、ＺＸ平面内でのＸ方向成分を変える。したがって、反射型グレーティング４からマイクロミラー６を経て、再び、反射型グレーティング４に入射する光Ｌ６は、分波前の光Ｌ２が入射した位置４ｂを基準にして、（＋）又は（−）Ｘ方向のいずれかの側の部位４ｃに入射する。このため、グレーティング６は、Ｙ方向の幅Ｗｇが前述したようにｄ≦Ｗｇ≦３ｄであるのに対して、Ｘ方向の幅は、Ｙ方向の幅よりも遥かに広い。
【００３８】
反射型グレーティング４で合波作用を受けた光Ｌ７は、再び、リトローレンズ７に入射し、集光されて、光Ｌ８になる。このリトローレンズ７において、反射型グレーティング４からの光Ｌ７を集光する部分が第２の結像光学系部８ｂを成す。反射型グレーティング４は、その受光面がＹ方向に平行であるので、この第２の結像光学系部８ｂの位置は、第１のコリメート光学系部９ａを基準にして、リトローレンズ７の内部で（＋）又は（−）Ｘ方向のいずれかの側となる。
【００３９】
以上のように、リトローレンズ７の第１の結像光学系部８ａ、第２の結像光学系部８ｂ、第１のコリメート光学系部９ａのそれぞれの位置は、リトローレンズ７の第２のコリメート光学系部９ｂを基準にして、（＋）又は（−）Ｘ方向のいずれかの側になる。このため、リトローレンズ７は、Ｙ方向の幅Ｗｒがｄ≦Ｗｒ≦３ｄであるのに対して、Ｘ方向の幅は、Ｙ方向の幅よりも遥かに広い。
【００４０】
リトローレンズ７で集光された光Ｌ８は、リレーレンズ３でコリメートされ、マイクロミラー６の回転角度に応じて、Ｘ方向に並んでいる複数のマイクロレンズ２ｂ〜２ｅのいずれかに入射し、いずれかのマイクロレンズで結像されて、光Ｌ８が入射したマイクロレンズに対向している出力光ファイバに入射する。つまり、リトローレンズ７で集光された光Ｌ８は、Ｘ方向に並んでいる複数の出力光ファイバ１ｂ〜１ｅのうちのいずれかに入射する。
【００４１】
以上のように、本実施形態では、複数の光ファイバ１ａ〜１ｅがＸ方向に並び、複数のマイクロミラー６もＸ方向に並び、さらに、リトローレンズ７及び反射型グレーティング４は、Ｙ方向の幅が狭いので、本実施形態の光スイッチは、Ｙ方向の幅、すなわちミラー６の回転軸６ａと平行な方向の幅を極めて狭めることができる。
【００４２】
なお、以上では説明していないが、リレーレンズ３に関しても、リトローレンズ７と同様に、Ｙ方向に垂直な端面を形成して、Ｙ方向の幅を狭くしてもよい。
【００４３】
また、各レンズ成分をミラー６の回転軸６ａと平行で、グレーティング４の分光面に対して垂直な端面を有するようにすればミラーおよびポートの並び方向にも小型化することが可能となる。この場合、面の各レンズ成分に入射する光束のうちの最も外側の光束（ガウシアンビームの径ｄ）のうちの少なくともｄの範囲でケラレがないように端面を形成すれば、レンズ成分に入射した光束を効率的に利用することができる。３ｄまでの光がケラレないように端面を形成すれば、より好ましい。
【００４４】
また、以上の実施形態では、第１の結像光学系部８ａ、第１のコリメート光学系部９ａ、第２の結像光学系部８ｂ、第２のコリメート光学系部９ｂを一つの光学系７で構成しているが、それぞれを独立した光学系で構成してもよい。この場合、各光学系は、本実施形態のリトローレンズ７と同様に、Ｙ方向に垂直な端面を形成して、Ｙ方向の幅を狭くし、ＺＸ平面内に配置されることになる。
【００４５】
また、以上の実施形態では、一つのグレーティングで、合波と分波を行っているが、それぞれ、異なるグレーティングで合波、分波を行うようにしてもよい。この場合も、以上の実施形態と同様に、各グレーティングのＹ方向の幅を狭くし、各グレーティングの溝をＹ方向に平行になるように設置する。
【００４６】
また、以上では、４つの波長成分を有する1つの入力光を分波して、各々４つの出力ポートのいずれかに導く光スイッチを例にとって説明したが、各波長成分に対応するミラーを配置すれば波長成分寸は任意に設定できる。また、もちろん出力ポート数もミラーの回転角度設定が行える範囲で任意の数配置できることは言うまでもない。
【００４７】
また、以上の実施形態の光スイッチは、波長多重光を各波長域の光に分波するものであるが、出力光ファイバ１ｂ〜１ｅから各波長域の光を出射すれば、これらの光を合波する装置として機能することは言うまでもない。さらに、本実施形態の光スイッチは、波長多重光を各波長域の光に分波した後、各波長域の光を目的の出力ポートに導く光波長選択スイッチであるが、光を分波又は合波する機能を有さず、光の出力先を変える単なる光スイッチに、本発明を適用してもよい。このような光スイッチは、例えば、図１における反射型グレーティング４を単なる平面ミラーに置き換えることで、構成することができる。
【００４８】
さらに、以上のように、入力ポートが1つで出力ポートが複数、或いは、出力ポートが1つで入力ポートが複数の光スイッチに限らず、例えば入力ポートが２つで出力ポートが２つあるような光スイッチ、すなわち入力及び出力が複数の光スイッチに、本発明を適用できることは言うまでもない。
【図面の簡単な説明】
【００４９】
【図１】本発明に係る一実施形態としての光スイッチの構成を示す説明図である。
【図２】本発明に係る一実施形態としての光スイッチの構成を示す要部斜視図である。
【図３】本発明に係る一実施形態としてのグレーティングのＹ方向の幅と光束径との関係を示す説明図である。
【符号の説明】
【００５０】
１ａ：入力光ファイバ                  １ｂ〜１ｅ：出力光ファイバ
２ａ〜２ｅ：マイクロレンズ            ３：リレーレンズ
４：反射型グレーティング              ５：マイクロミラーアレイ
６：マイクロミラー                    ６ａ：回転軸
７：リトローレンズ                    ８ａ：第１の結像光学系部
８ｂ：第２の結像光学系部              ９ａ：第１のコリメート光学系部
９ｂ：第２のコリメート光学系部        
【図１】
2006039304.tif 000003
【図２】
2006039304.tif 000004
【図３】
2006039304.tif 000005